(57)【要約】【課題】換気スリーブにおける断熱層内への水分の浸み込みを防止するとともに、防火性を確保する。【解決手段】建物の壁１の貫通孔１ｃに換気スリーブ１０を設置する。換気スリーブ１０の金属製の外スリーブ部１１に金属製の内スリーブ部１２を収容し、外スリーブ部１１と内スリーブ部１２との間に筒状の断熱層１４を設ける。断熱層１４の屋外側の端部に環状の金属製の蓋部材２０を被せる。【選択図】図１
2019158214.tif 000002
【特許請求の範囲】
【請求項１】
建物の壁の貫通孔に設置される換気スリーブであって、
金属製の外スリーブ部と、
前記外スリーブ部に収容された金属製の内スリーブ部と、
前記外スリーブ部と前記内スリーブ部との間に設けられた筒状の断熱層と、
前記断熱層の屋外側の端部に被さる環状の金属製の蓋部材と、
を備えたことを特徴とする換気スリーブ。
【請求項２】
前記蓋部材が、前記断熱層の屋外側の端面に被さる平らな環状の蓋板部と、前記蓋板部の外周部から屋内側へ突出して前記断熱層の外周面に被さる筒状の周壁部とを含むことを特徴とする請求項１に記載の換気スリーブ。
【請求項３】
前記外スリーブ部が前記周壁部の外周面に被さり、前記内スリーブ部が前記蓋板部を貫通していることを特徴とする請求項２に記載の換気スリーブ。
【請求項４】
前記蓋部材が、前記壁の外装材の屋内側面に突き当てられることを特徴とする請求項１〜３の何れか１項に記載の換気スリーブ。
【発明の詳細な説明】
【技術分野】
【０００１】
本発明は、建物における換気ダクトの先端部に連なるとともに外壁に設置される換気スリーブに関する。
【背景技術】
【０００２】
一般に、家屋等の建物には換気ダクトが配管されている。換気ダクトは、例えば厨房のレンジフード等から外壁へ延びている（特許文献１等参照）。例えば、特許文献１においては、換気ダクトの屋外側端部に換気スリーブが接続されている。換気スリーブは、外スリーブ部と、内スリーブ部を含む。外スリーブ部が建物の外壁の貫通孔に嵌められる。該外スリーブ部の内部に内スリーブ部が収容されている。内スリーブ部の内部空間が、換気ダクト内に連なる換気流路となっている。外スリーブ部と内スリーブ部の間には不燃性の断熱層が設けられている。内スリーブ部の屋外側の端部は、外壁のサイディング（外装材）を貫通している。外スリーブ部と断熱層の屋外側の端面がサイディングの屋内側面に当っている。
【先行技術文献】
【特許文献】
【０００３】
【特許文献１】特開２０１４−１３７１５４号公報
【発明の概要】
【発明が解決しようとする課題】
【０００４】
前掲特許文献１の換気スリーブにおいては、金属製の外スリーブ部がサイディングに到達することで、防火性能が確保されている。また、断熱層によって換気流路の保温性が確保されている。
一方、雨水や結露水がサイディングと断熱層との間から断熱層の内部に浸み込むおそれがある。この水分によって断熱層内でカビが発生することが懸念される。また、防火性能を確実に確保する必要もある。  
本発明は、かかる事情に鑑み、換気スリーブにおける断熱層内への水分の浸み込みを防止するとともに、防火性を確保することを目的とする。
【課題を解決するための手段】
【０００５】
前記問題点を解決するために、本発明は、建物の壁の貫通孔に設置される換気スリーブであって、
金属製の外スリーブ部と、
前記外スリーブ部に収容された金属製の内スリーブ部と、
前記外スリーブ部と前記内スリーブ部との間に設けられた筒状の断熱層と、
前記断熱層の屋外側の端部に被さる環状の金属製の蓋部材と、
を備えたことを特徴とする。
蓋部材が断熱層の屋外側の端部に被さることによって、雨水や結露水が断熱層内に浸み込むのが防止される。かつ蓋部材を金属製とすることによって防火性が高まる。
【０００６】
前記蓋部材が、前記断熱層の屋外側の端面に被さる平らな環状の蓋板部と、前記蓋板部の外周部から屋内側へ突出して前記断熱層の外周面に被さる筒状の周壁部とを含むことが好ましい。
これによって、雨水や結露水が断熱層の屋外側の端面から断熱層内に浸み込むのを一層確実に防止できる。
【０００７】
前記外スリーブ部が前記周壁部の外周面に被さり、前記内スリーブ部が前記蓋板部を貫通していることが好ましい。
これによって、金属製の外スリーブ部と内スリーブ部の屋外側部分どうし間を金属製の蓋部材で塞ぐことができる。このため、防火性が更に高まる。
【０００８】
前記蓋部材が、前記壁の外装材の屋内側面に突き当てられることが好ましい。
これによって、防火性を一層高めることができる。
【発明の効果】
【０００９】
本発明によれば、換気スリーブにおける断熱層内への水分の浸み込みを防止でき、かつ防火性を確保することができる
【図面の簡単な説明】
【００１０】
【図１】図１は、本発明の一実施形態に係る換気スリーブが設けられた建物の外壁の縦断面図である。
【図２】図２は、図１の円部ＩＩの拡大断面図である。
【図３】図３は、前記換気スリーブの分解斜視図である。
【発明を実施するための形態】
【００１１】
以下、本発明の一実施形態を図面にしたがって説明する。
図１に示すように、建物の外壁１（壁）に換気スリーブ１０が設置されている。図１において二点鎖線で示す換気ダクト３が厨房のレンジフード等から延びて換気スリーブ１０に接続されている。
【００１２】
図２及び図３に示すように、換気スリーブ１０は、外スリーブ部１１と、内スリーブ部１２を備えている。図１に示すように、短筒形状の外スリーブ部１１が、軸線を略水平に向けて外壁１の貫通孔１ｃに嵌められている。なお、外スリーブ部１１ひいては換気スリーブ１０の軸線が、屋外側へ向かって下へ僅かに傾けられていてもよい。外スリーブ部１１の屋外側の端部は、外壁１のサイディング１ｆ（外装材）の近傍に達している。または、外スリーブ部１１がサイディング１ｆに当接されていてもよい。
【００１３】
外スリーブ部１１の屋外寄り部分の外周に、四角形状の鍔１３が設けられている。鍔１３が、外壁１の鉛直な屋外側合板１ａにビス止めされている。外スリーブ部１１及び鍔１３の材質は、亜鉛メッキ鋼、ステンレス鋼、アルミニウム等の金属である。
【００１４】
図１及び図２に示すように、外スリーブ部１１に内スリーブ部１２が収容されている。内スリーブ部１２は、外スリーブ部１１より長くかつ小径の筒形状になっている。内スリーブ部１２の材質は、亜鉛メッキ鋼、ステンレス鋼、アルミニウム等の金属である。内スリーブ部１２の内部が、換気流路１０ａとなっている。換気流路１０ａが、換気ダクト３内に連なっている。
【００１５】
内スリーブ部１２の屋外側の端部は、外スリーブ部１１及び後記断熱層１４よりも屋外側へ突出され、外壁１のサイディング１ｆ（外装材）を通して屋外に臨んでいる。サイディング１ｆにおける貫通孔１ｃの内周面と内スリーブ部１２の外周面との間は、シリコーンなどの封止材１５で封止されている。
内スリーブ部１２の屋内側の端部は、外スリーブ部１１及び後記断熱層１４よりも屋内側へ突出され、換気ダクト３と接続されている。
【００１６】
外スリーブ部１１と内スリーブ部１２との間に断熱層１４が設けられている。断熱層１４は、厚肉の環状ないしは筒状になっている。断熱層１４の材質は、グラスウール、ガラス繊維フェルトなどの断熱材によって構成されている。好ましくは、断熱層１４は、断熱性に加えて、不燃性を有している。該断熱層１４の内周面が内スリーブ部１２の外周面に接着等によって接合されている。断熱層１４の外周に外スリーブ部１１が被さっている。
【００１７】
図示は省略するが、断熱層１４と外スリーブ部１１との間に、勾配付与金具が挿し入れられていてもよい。該勾配付与金具によって内スリーブ部１２に屋外側へ向かって下向きの勾配が付けられていてもよい。これによって、換気流路１０ａ内に入り込んだ雨水や結露水が屋内側へ流れるのを防止できる。
【００１８】
図３に示すように、断熱層１４の屋外寄り部分の外周には、環状のパッキン１６（シール部材）が設けられている。パッキン１６は、ポリエチレンなどの樹脂、ゴムその他の水密性材質によって構成されている。図２に示すように、パッキン１６によって、外スリーブ部１１と断熱層１４との間がシールされている。
【００１９】
図１に示すように、断熱層１４の屋外側（図１において左側）の端面は、外スリーブ部１１の屋外側の端面と略面一か又は外スリーブ部１１より屋外側へ突出されている。
断熱層１４の屋内側（図１において右側）の端部は、外スリーブ部１１よりも屋内側へ突出され、更には壁１の屋内側石膏ボード１ｄよりも屋内側へ突出されている。
屋内側石膏ボード１ｄにおける貫通孔１ｃの内周面と、断熱層１４及び外スリーブ部１１の外周面との間は、シリコーンなどの封止材１７で封止されている。
【００２０】
更に、図３に示すように、換気スリーブ１０には蓋部材２０が設けられている。蓋部材２０は、断熱層１４の屋外側の端部に被さるように配置されている。蓋部材２０の材質は、亜鉛メッキ鋼、ステンレス鋼、アルミニウム等の金属である。
【００２１】
蓋部材２０は、蓋板部２１と、周壁部２２を有している。蓋板部２１は、中心穴２１ｃを有する環状の平板形状になっている。周壁部２２は、筒状に形成され、蓋板部２１の外周部から屋内側へ突出されている。
【００２２】
図１に示すように、蓋板部２１が、断熱層１４の屋外側の端面に被さっている。かつ蓋板部２１は、サイディング１ｆの屋内側面に突き当てられている。蓋板部２１の中心穴２１ｃを内スリーブ部１２が貫通している。図２に示すように、中心穴２１ｃの内周縁と内スリーブ部１２の外周面とのクリアランスＣＬは十分に小さく、好ましくはＣＬ＝０ｍｍ〜１ｍｍである。封止材１５が蓋板部２１まで達しており、該封止材１５によって前記クリアランスが埋められている。
【００２３】
周壁部２２は、断熱層１４の外周面における屋外側部分に被さっている。更には、周壁部２２は、パッキン１６の屋外側部分にも被さることでこれを押し潰している。パッキン１６の屋内側部分が、周壁部２２からはみ出して外スリーブ部１１の内周面に密着されることで、外スリーブ部１１と断熱層１４との間のシール性が確保されている。
【００２４】
周壁部２２の外周面に外スリーブ部１１が被さっている。
外スリーブ部１１の屋外側端部と、内スリーブ部１２の外周面との間が、蓋部材２０によって塞がれている。
【００２５】
換気スリーブ１０によれば、蓋部材２０が断熱層１４の屋外側の端部に被さることによって、雨水や結露水が断熱層１４内に浸み込むのを防止することができる。これによって、断熱層１４の内部でカビが発生するのを防止できる。
また、断熱層１４が不燃性であることに加えて、蓋部材２０が金属製であるために、防火性を高めることができる。かつ、蓋部材２０がサイディング１ｆの屋内側面に突き当てられることで、防火性を一層高めることができる。更には、金属製の内外のスリーブ部１２，１１の屋外側部分どうし間を金属製の蓋部材２０で塞ぐことで、防火性をより一層高めることができる。
【００２６】
本発明は、前記実施形態に限られず、その趣旨を逸脱しない範囲内で種々の改変をなすことができる。
例えば、内スリーブ部１２に屋外側へ向かって下向きの勾配が付けられ、蓋部材２０が内スリーブ部１２と同軸をなすように傾けられていてもよい。このため、蓋部材２０の上側部がサイディング１ｆの屋内側面に当たる一方で、蓋部材２０の下側部はサイディング１ｆから屋内側へ少し離れていてもよい。
周壁部２２を省略してもよい。
【産業上の利用可能性】
【００２７】
本発明は、例えば建物の換気用のダクト設備に適用できる。
【符号の説明】
【００２８】
１        外壁（壁）
１ａ      屋外側合板
１ｃ      貫通孔
１ｄ      屋内側石膏ボード
１ｆ      サイディング
３        換気ダクト
１０      換気スリーブ
１０ａ    換気流路
１１      外スリーブ部
１２      内スリーブ部
１３      鍔
１４      断熱層
１５      屋外側封止材
１６      パッキン
１７      屋内側封止材
２０      蓋部材
２１      蓋板部
２１ｃ    中心穴
２２      周壁部
ＣＬ      クリアランス
【図１】
2019158214.tif 000003
【図２】
2019158214.tif 000004
【図３】
2019158214.tif 000005